(57)【要約】【課題】動力を車軸に伝達する動力伝達装置にオイルを供給する電動オイルポンプにおいて、ポンプの駆動騒音によって車両の商品性が低下することを抑制しつつ、ポンプ駆動回路の発熱量、消費電力を抑制する。【解決手段】電動オイルポンプのＰＷＭ制御におけるＰＷＭ周波数（駆動周波数）を車両の運転状態に応じて変更する。電動オイルポンプを駆動するときに（S501）、被牽引状態、高車速状態、動力源の高回転状態、吐出オイル量が多い状態、車室内の騒音が高い状態のいずれかに該当する場合には（S502〜S506）、電動オイルポンプのＰＷＭ制御におけるＰＷＭ周波数fを低く変更する（S508）。【選択図】図９
2015021512.tif 000002
【特許請求の範囲】
【請求項１】
動力を車軸に伝達する動力伝達装置にオイルを供給する電動オイルポンプを制御する制御装置であって、
前記電動オイルポンプの駆動周波数を車両状態に応じて変更する、車両用電動オイルポンプの制御装置。
【請求項２】
前記動力伝達装置の非駆動状態では駆動状態に比べて前記駆動周波数を低くする、請求項１記載の車両用電動オイルポンプの制御装置。
【請求項３】
前記動力伝達装置の非駆動状態で前記電動オイルポンプの電源の状態に応じて前記駆動周波数を変更する、請求項２記載の車両用電動オイルポンプの制御装置。
【発明の詳細な説明】
【技術分野】
【０００１】
本発明は、動力を車軸に伝達する動力伝達装置にオイルを供給する電動オイルポンプを制御する制御装置に関する。
【背景技術】
【０００２】
特許文献１には、エンジンに接続される動力伝達装置（変速機構、発進用摩擦要素など）にオイルを供給するポンプとして、エンジンで駆動される機械式オイルポンプと、モータで駆動される電動オイルポンプとを備えた自動車において、機械式オイルポンプが停止するアイドルストップ中に電動オイルポンプを駆動する技術が開示されている。
【先行技術文献】
【特許文献】
【０００３】
【特許文献１】特開２００９−２９３６４９号公報
【発明の概要】
【発明が解決しようとする課題】
【０００４】
ところで、電動オイルポンプの駆動周波数を高くすると駆動騒音が低下するため、車両の乗員が感知する騒音レベルを低下させるためには、駆動周波数を高く設定することが望まれる。
しかし、電動オイルポンプの駆動周波数が高いと、駆動周波数が低い場合に比べて駆動回路の発熱量が大きくなり、電動オイルポンプを連続的に使用する状況では、駆動回路の熱による損傷が発生する可能性がある。
【０００５】
ここで、駆動回路の放熱性を高めれば熱による駆動回路の損傷を抑制できる。しかし、例えば、エンジンで駆動される機械式オイルポンプと電動オイルポンプとを備え、機械式オイルポンプを主として用い電動オイルポンプを補助的に用いるシステムであって、電動オイルポンプを連続的に使用する状態が限られる場合に、電動オイルポンプの連続使用状態でも十分な放熱性能を得られるように駆動回路の放熱性を高めると、コストアップや駆動回路の大型化を招くことになり、逆に、駆動周波数を低く設定して発熱量を抑えるようにすると、騒音が増して車両の商品性を低下させてしまうことになる。
【０００６】
本発明は上記問題点に鑑みなされたものであり、電動オイルポンプの駆動騒音による商品性の低下、及び、電動オイルポンプの駆動回路のコストアップ，大型化を抑制しつつ、駆動回路の熱による損傷を抑制できる、車両用電動オイルポンプの制御装置を提供することを目的とする。
【課題を解決するための手段】
【０００７】
そのため、本願発明では、電動オイルポンプの駆動周波数を車両状態に応じて変更するようにした。
【発明の効果】
【０００８】
上記発明によると、騒音の低減と発熱量の低減とのいずれを優先させるべきかが車両状態に応じて変化するのに応じて駆動周波数を変更することができ、電動オイルポンプの駆動騒音による商品性の低下、及び、電動オイルポンプの駆動回路のコストアップ，大型化を抑制しつつ、駆動回路の熱による損傷を抑制することが可能となる。
【図面の簡単な説明】
【０００９】
【図１】本発明の実施形態におけるハイブリッド車両の駆動系を示す図である。
【図２】本発明の実施形態における動力伝達装置の非駆動状態での電動オイルポンプの制御を示すフローチャートである。
【図３】本発明の実施形態における動力伝達装置の駆動状態での電動オイルポンプの制御を示すフローチャートである。
【図４】本発明の実施形態における動力伝達装置の駆動状態での電動オイルポンプの駆動要求の判定処理を示すフローチャートである。
【図５】本発明の実施形態における動力伝達装置の駆動状態と非駆動状態とにおける電動オイルポンプの制御パターンの違いを概略的に示すタイムチャートである。
【図６】本発明の実施形態における動力伝達装置の駆動状態と非駆動状態とにおける電動オイルポンプの制御パターンの違いを、車速、アクセル開度、クラッチ入力トルクなどに応じて示すタイムチャートである。
【図７】本発明の実施形態における動力伝達装置の駆動状態と非駆動状態とにおける電動オイルポンプの目標流量を示す線図である。
【図８】本発明の実施形態における動力伝達装置の非駆動状態での電動オイルポンプの制御を示すフローチャートである。
【図９】本発明の実施形態における電動オイルポンプの駆動周波数の変更処理を示すフローチャートである。
【発明を実施するための形態】
【００１０】
以下に本発明の実施の形態を説明する。
本発明に係る車両用電動オイルポンプの制御装置の一例として、ハイブリッド車両に適用した例を、以下で図面に従って説明する。
【００１１】
図１は、ハイブリッド車両の駆動系を示す。図１の駆動系は、エンジン（内燃機関）１、第１クラッチ２、モータジェネレータ３、動力伝達装置４を備え、動力伝達装置４の出力が車軸２０に伝達される。
動力伝達装置４は、遊星歯車機構４１ａ、後退ブレーキ４１ｂ、前進クラッチ（第２クラッチ）４１ｃを備えた前後進切替機構４１、及び、無段変速機構４２とで構成される。
【００１２】
無段変速機構４２は、プライマリプーリ４２ａ、セカンダリプーリ４２ｂ、これらプーリ間に掛けられたＶベルト４２ｃを含んで構成され、プライマリプーリ４２ａの回転は、Ｖベルト４２ｃを介してセカンダリプーリ４２ｂへ伝達され、セカンダリプーリ４２ｂの回転は、車軸２０に伝達されて車両が駆動される。
そして、プライマリプーリ４２ａの可動円錐板及びセカンダリプーリ４２ｂの可動円錐板を軸方向に移動させてＶベルト４２ｃとの接触位置半径を変えることにより、プライマリプーリ４２ａとセカンダリプーリ４２ｂとの間の回転比つまり変速比を変えることができる。
【００１３】
また、モータジェネレータ３と前後進切替機構４１との間の回転軸４３によって駆動される機械式オイルポンプ５を設けてある。そして、エンジン１及び／又はモータジェネレータ３によって回転駆動される機械式オイルポンプ５が吐出するオイルは、調圧機構６を介して前後進切替機構４１及び無段変速機構４２に油圧作動用、潤滑用及び冷却用として供給される。
更に、機械式オイルポンプ５と並列に、モータ（電動機）７ａで回転駆動される電動オイルポンプ７を設けてある。この電動オイルポンプ７が吐出するオイルは、前後進切替機構４１に潤滑用及び冷却用として供給される。
【００１４】
調圧機構６及び電動オイルポンプ７の動作は、マイクロコンピュータを備えた制御装置８によって制御される。
制御装置８は、バッテリ（電源）２２が接続されるインバータ（駆動回路）９のＰＷＭ制御を介して電動オイルポンプ７（モータ７ａ）の作動（ポンプモータ７ａへの電力供給）を制御する。
上記の構成のハイブリッド車両の駆動系での走行モードとして、第１クラッチ２を締結しエンジン１及びモータジェネレータ３を動力源として走行するハイブリッド走行モードと、第１クラッチ２を解放しモータジェネレータ３を動力源として走行する電気自動車走行モードとの２つが設定される。
【００１５】
制御装置８には、駆動系の状態を検出する各種センサの出力信号が入力される。
各種センサとしては、機械式オイルポンプ５及び電動オイルポンプ７が循環させるオイルを滞留させるオイルパン１０内でのオイル温度ＴＯを検出する温度センサ１１、車速ＶＳＰを検出する車速センサ１２、運転者が操作するアクセルペダルの開度ＡＣＣを検出するアクセル開度センサ１３、ブレーキ操作の有無を検出するブレーキスイッチ１４、前後進切替機構４１の入力側回転速度Ｎinを検出する入力回転センサ１５、前後進切替機構４１の出力側回転速度Ｎoutを検出する出力回転センサ１６、エンジン１の目標駆動力（要求駆動力）ＥＬを検出する目標駆動力センサ１７、車両走行路面の勾配θを検出する勾配センサ１８などが設けられている。
【００１６】
次に制御装置８による電動オイルポンプ７の制御の一例を、図２〜図４のフローチャートに従って説明する。
図２のフローチャートに示すルーチンは、車両のエンジンスイッチ（イグニッションスイッチ、スタートスイッチ）がオンされて制御装置８に電源が投入されている状態において、制御装置８によって実行される。
【００１７】
まず、制御装置８は、ステップＳ１０１で、電動オイルポンプ（電動ＯＰ）７の作動準備が完了しているか否かを検出すると共に、電動オイルポンプ７の駆動経験フラグを０に落とすリセット処理を行う。
電動オイルポンプ７の作動準備が完了している状態とは、例えば、電動オイルポンプ７（モータ７ａ）に向けてバッテリ２２の電力を出力するリレーがオン状態で、かつ、バッテリ電圧ＶＢが規定範囲内で、かつ、電動オイルポンプ７やインバータ９について故障発生が検出されていない状態である。
【００１８】
電動オイルポンプ７の作動準備が完了している場合、換言すれば、電動オイルポンプ７の作動が可能な状態であれば、制御装置８は、ステップＳ１０２へ進む。
ステップＳ１０２で、制御装置８は、動力伝達機構４の前後進切替機構４１が、動力を伝達する駆動状態（駆動レンジ）であるか、動力を伝達しない非駆動状態（非駆動レンジ）であるかを検出する。
【００１９】
制御装置８は、前後進切替機構４１が駆動状態であるか非駆動状態であるかを、ＡＴ（Automatic Transmission）のセレクターによるレンジの選択信号に基づき検出する。つまり、制御装置８は、セレクターによりニュートラルレンジ（Ｎレンジ）が選択されていれば非駆動状態を検出し、Ｎレンジ以外のドライブレンジ（Ｄレンジ）などが選択されていれば駆動状態を検出する。
ここで、制御装置８は、前後進切替機構４１が駆動状態であることを検出すると、ステップＳ１１４の駆動状態用制御（通常制御）を実施する。
【００２０】
ステップＳ１１４の駆動状態用制御（駆動状態での制御パターン）の一例を、図３及び図４のフローチャートに従って説明する。
図３のフローチャートのステップＳ２０１で、制御装置８は、前記ステップＳ１０１と同様に、電動オイルポンプ（電動ＯＰ）７の作動準備が完了しているか否かを検出し、作動準備が完了していれば、ステップＳ２０２へ進む。
【００２１】
ステップＳ２０２で、制御装置８は、温度センサ１１が検出するオイル温度ＴＯ（℃）を読み込む。ステップＳ２０３で、制御装置８は、オイル温度ＴＯに基づき電動オイルポンプ７の目標回転数rpm（又は目標流量L/min）を算出する。
制御装置８は、前後進切替機構４１の駆動状態でのオイル温度ＴＯと目標回転数rpm（目標流量L/min）との相関を規定する変換テーブルや関数などを備え、係る相関に基づいてオイル温度ＴＯの検出値から目標回転数rpm（目標流量L/min）を算出する。
【００２２】
制御装置８は、オイル温度ＴＯが高いほどより高い目標回転数rpm（より大きな目標流量L/min）を設定する。これにより、オイル温度が高い場合にオイル流量が多くなってオイルの循環による冷却性能が高まり、オイル温度ＴＯの上昇が抑制される。
但し、電動オイルポンプ７の目標回転数rpm（目標流量L/min）をオイル温度ＴＯに応じて変更する構成に限定されず、制御装置８は、例えば、目標回転数rpm（目標流量L/min）を固定値とすることができる。
【００２３】
ステップＳ２０４で、制御装置８は、電動オイルポンプ７の駆動要求が成立しているか否かを検出する。
ここで、電動オイルポンプ７の駆動要求とは、機械式オイルポンプ５が駆動されていて機械式オイルポンプ５によってオイルが循環されている状態で、オイル流量の不足分を電動オイルポンプ７の作動によって補うことを要求する指令である。
【００２４】
制御装置８は、例えば、湿式多板クラッチなどの摩擦係合要素である前進クラッチ４１ｃのスリップ状態において、機械式オイルポンプ５が吐出するオイルに電動オイルポンプ７が吐出するオイルを付加してオイル流量の総量を増やすために電動オイルポンプ７の駆動要求を設定する。
【００２５】
換言すれば、前進クラッチ４１ｃの解放状態又は滑りのない完全締結状態であれば発熱量が少なく、潤滑や冷却に必要とされるオイル流量は機械式オイルポンプ５が吐出するオイル流量で充たされる。
一方、前進クラッチ４１ｃのスリップ状態では発熱量が多く、機械式オイルポンプ５が吐出するオイル流量では潤滑や冷却に不十分となるため、電動オイルポンプ７を駆動させて潤滑や冷却に十分なオイル流量を確保する。
【００２６】
制御装置８は、ステップＳ２０４における電動オイルポンプ７の駆動要求の検出を、例えば図４のフローチャートに示すようにして行う。
図４のフローチャートにおいて、制御装置８は、ステップＳ３０１で、前進クラッチ４１ｃの温度が所定値以上であるか否かを検出する。
【００２７】
制御装置８は、前進クラッチ４１ｃの温度をクラッチ入力トルク（エンジン負荷）や回転数差（スリップ回転数）などに基づき推定する演算を行い、又は、前進クラッチ４１ｃに設けた温度センサの信号に基づき前進クラッチ４１ｃの温度を検出する。
また、ステップＳ３０１において前進クラッチ４１ｃの温度と比較する所定値は、電動オイルポンプ７を作動させてオイル流量を増やす必要があるか否かを検出するための閾値であり、電動オイルポンプ７によってオイル流量を増やさないと前進クラッチ４１ｃの温度が許容温度を超えて高くなる可能性がある温度を基準とする温度である。
【００２８】
前進クラッチ４１ｃの温度が前記所定値以上であればオイル流量の不足分を電動オイルポンプ７によって補う必要があり、制御装置８は、ステップＳ３０８へ進んで電動オイルポンプ７の駆動要求を設定する。
一方、前進クラッチ４１ｃの温度が所定値未満である場合、前進クラッチ４１ｃの温度条件としては電動オイルポンプ７を駆動する必要はないが、前進クラッチ４１ｃの温度条件以外の条件で駆動が要求される場合があるので、制御装置８はステップＳ３０２以降の処理に進む。
【００２９】
ステップＳ３０２で、制御装置８は、前進クラッチ４１ｃがスリップ状態であるか否かを、前進クラッチ４１ｃの入出力間の回転数差（スリップ回転数）に基づいて検出する。
ここで、前進クラッチ４１ｃがスリップ状態でない場合、即ち、前進クラッチ４１ｃが解放状態又は回転数差のない完全締結状態である場合は、スリップによる発熱に対応するためのオイル流量の増量は不要である。
【００３０】
そこで、制御装置８は、前進クラッチ４１ｃがスリップ状態でない場合はステップＳ３０７へ進み、電動オイルポンプ７の駆動要求を不成立とする。
一方、前進クラッチ４１ｃがスリップ状態である場合は、スリップに伴う発熱に対応するためのオイル流量の増量が必要となる可能性があるので、制御装置８は、ステップＳ３０３の処理へ進む。
【００３１】
ステップＳ３０３で、制御装置８は、車両の走行路が所定値より急な上り勾配であって、かつ、車両ブレーキのオフ状態であるか否かを検出する。
車両の走行路が急な上り勾配でかつブレーキがオフ状態である場合、車両を発進させるために前進クラッチ４１ｃを締結させるときの負荷トルクが大きく、前進クラッチ４１ｃの締結過程での発熱量が多くなることが見込まれる。
【００３２】
このため、制御装置８は、ステップＳ３０８へ進んで、電動オイルポンプ７の駆動要求を設定する。
一方、制御装置８は、ステップＳ３０３で勾配の条件及び／又はブレーキの条件が成立していないことを検出すると、ステップＳ３０４へ進み、アクセル開度ＡＣＣが所定開度以上でかつブレーキがオンである状態が所定時間以上継続しているか否かを検出する。
【００３３】
ステップＳ３０４の条件が成立する場合には、ブレーキペダルを踏んだままの状態でアクセルペダルを踏み込み、エンジン１の出力を上げた状態でブレーキをオフして急発進させる状況が想定される。
そして、係る状況では、前進クラッチ４１ｃの入力トルクが大きく前進クラッチ４１ｃの締結過程での発熱量が多くなることが見込まれる。そこで、制御装置８は、ステップＳ３０８へ進んで電動オイルポンプ７の駆動要求を設定する。
【００３４】
また、制御装置８は、ステップＳ３０４において急発進状態ではないこと、つまり、アクセル開度ＡＣＣ、ブレーキ、継続時間の３条件のうちの少なくとも１つが成立していないことを検出すると、ステップＳ３０５へ進む。
ステップＳ３０５で、制御装置８は、前進クラッチ４１ｃの入力トルク（エンジン負荷）が所定値を超えかつ車速が所定値以下である状態が所定時間以上継続しているか否かを検出する。
【００３５】
ステップＳ３０５の条件が成立する場合は、上り勾配や積載重量の増加などによって車両を発進させるためのトルク（発進負荷）が高くなっている状況であり、この場合、前進クラッチ４１ｃの入力トルク及び負荷トルクが大きく前進クラッチ４１ｃの締結過程での発熱量が多くなることが見込まれる。
そこで、制御装置８は、ステップＳ３０８へ進んで、電動オイルポンプ７の駆動要求を設定する。
【００３６】
一方、制御装置８は、ステップＳ３０５において発進負荷の高い状態ではないこと、つまり、入力トルク、車速、継続時間の３条件のうちの少なくとも１つが成立していないことを検出すると、ステップＳ３０６へ進む。
ステップＳ３０６で、制御装置８は、無段変速機構４２の変速比が所定値以下であって、かつ、車速ＶＳＰが所定値以下である状態であるか否かを検出する。
【００３７】
ステップＳ３０６の条件が成立する状況は、有段変速機における２速発進のような状態であり、負荷トルクが大きく前進クラッチ４１ｃの締結過程での発熱量が多くなることが見込まれる。
そこで、制御装置８は、ステップＳ３０８へ進んで電動オイルポンプ７の駆動要求を設定する。
【００３８】
一方、制御装置８は、ステップＳ３０６において２速発進状態ではないこと、つまり、変速比、車速の２条件のうちの少なくとも１つが成立していないことを検出すると、ステップＳ３０７へ進んで電動オイルポンプ７の駆動要求を不成立とする。
２速発進状態でない場合は、前進クラッチ４１ｃのスリップ状態であっても前進クラッチ４１ｃでの発熱量はオイル流量の増量が必要なほどに多くないため、制御装置８は、電動オイルポンプ７の駆動を不要とする。
【００３９】
また、制御装置８は、ステップＳ３０７、ステップＳ３０８で電動オイルポンプ７の駆動の要否を設定すると、ステップＳ３０９で係る設定を確定する。
尚、ステップＳ３０３〜ステップＳ３０６に例示した発熱量の検出処理に限定されるものではなく、制御装置８は、他の処理によって前進クラッチ４１ｃの発熱量を推定することができる。
また、制御装置８は、前進クラッチ４１ｃの解放過程における発熱量の検出を行って、電動オイルポンプ７の駆動の要否を設定することができる。
【００４０】
制御装置８は、上記のようにして電動オイルポンプ７の駆動の要否を検出した結果を、図３のフローチャートのステップＳ２０４にて判断し、電動オイルポンプ７の駆動が不要であれば、ステップＳ２０７へ進んで電動オイルポンプ７を停止させる。
制御装置８がステップＳ２０７で電動オイルポンプ７を停止させても機械式オイルポンプ５はエンジン１で駆動され、機械式オイルポンプ５が吐出するオイルは調圧機構６を介して前後進切替機構４１及び無段変速機構４２に供給され、オイルの必要供給量は確保される。
【００４１】
一方、制御装置８は、ステップＳ２０４において電動オイルポンプ７の駆動要求があることを検出すると、ステップＳ２０５へ進んで、ステップＳ２０３で設定した目標回転数rpm（目標流量L/min）を電動オイルポンプ７の駆動制御における指令値に設定する。
そして、制御装置８は、ステップＳ２０６で、目標回転数rpm（目標流量L/min）に基づき電動オイルポンプ７をＰＷＭ制御する。
【００４２】
制御装置８は、目標回転数rpmと実際のポンプ回転数（モータ回転数）rpmとの差（制御エラー）に基づいてＰＷＭ制御におけるデューティ比を決定し、決定したデューティ比の操作信号によってインバータ９におけるスイッチング素子をＰＷＭ制御する。
前述した制御装置８による電動オイルポンプ７の制御では、前進クラッチ４１ｃのスリップ状態であって前進クラッチ４１ｃの発熱量が多くしかも増大傾向にある場合に、機械式オイルポンプ５によって前進クラッチ４１ｃに供給されるオイルに加えて電動オイルポンプ７からも前進クラッチ４１ｃにオイル供給を行う。
【００４３】
これにより、オイルによる前進クラッチ４１ｃの冷却性能が高まり、前進クラッチ４１ｃの温度上昇が抑制される。
上記のように、制御装置８は、前後進切替機構４１の駆動状態においては、前進クラッチ４１ｃのスリップ状態で発熱量が多くなると電動オイルポンプ７を駆動してオイル流量（循環量）の増量を図る。
【００４４】
機械式オイルポンプ５はエンジン１で駆動されるため、図５（Ａ）に示すように、車両発進状態でのポンプ回転速度が低いときには吐出流量が少なく、車速が高くなるつまりエンジン１の回転速度が高くなるに従って機械式オイルポンプ５の吐出流量は増大する。
一方、前進クラッチ４１ｃは締結過程でのスリップ状態で発熱し、前進クラッチ４１ｃが発熱する条件は発進加速するときの車速が低い条件である。
【００４５】
つまり、前進クラッチ４１ｃが発熱する条件で機械式オイルポンプ５の吐出量が少ないことになり、発進加速状態において機械式オイルポンプ５が吐出するオイルでは前進クラッチ４１ｃを十分に冷却することができない。
そこで、図５（Ａ）に示すように、機械式オイルポンプ５が吐出するオイルに電動オイルポンプ７が吐出するオイルを付加し、両ポンプ５，７の総量で前進クラッチ４１ｃの冷却に必要なオイル流量を確保する。
【００４６】
図６（Ａ）のタイムチャートは、前後進切替機構４１の駆動状態における制御装置８による電動オイルポンプ７の制御パターンの一例を示す。
図６（Ａ）のタイムチャートにおいて、時刻ｔ１でニュートラルレンジ（非駆動状態）からドライブレンジ（駆動状態）に切り替わると、制御装置８は前進クラッチ４１ｃの締結操作を行う。
【００４７】
時刻ｔ２で、制御装置８は、アクセル開操作に伴って前進クラッチ４１ｃの入力トルクが設定値を超えたことに基づいて電動オイルポンプ７を起動し、時刻ｔ３で、制御装置８は、前進クラッチ４１ｃが完全締結状態に移行したことに基づいて電動オイルポンプ７を停止させる。
【００４８】
また、時刻ｔ４では、減速に伴い前進クラッチ４１ｃがスリップ状態に移行し、更に、車軸２０側から駆動される状態となって前進クラッチ４１ｃの入出力間での回転速度差が大きくなるので、制御装置８は、電動オイルポンプ７を再起動する。そして、制御装置８は、時刻ｔ５での減速の収束に伴って電動オイルポンプ７を停止させる。
更に、時刻ｔ６で、制御装置８は、スリップ状態でのアクセルの踏み込みに伴う入力トルクの増大に対応するために電動オイルポンプ７を起動させ、時刻ｔ７でアクセルが戻されたことによって電動オイルポンプ７を停止させる。
【００４９】
上記図３及び図４のフローチャートに示した制御装置８の処理は、図２のフローチャートのステップＳ１０２で、制御装置８が前後進切替機構４１の駆動状態であることを検出して、ステップＳ１１４に進んだ場合の処理である。
一方、制御装置８は、ステップＳ１０２で前後進切替機構４１が非駆動状態（ニュートラルレンジ）であることを検出すると、ステップＳ１０３以降の処理に進む。
尚、前後進切替機構４１の非駆動状態とは、前後進切替機構４１が非動作状態であってかつモータジェネレータ３がトルクを発生しない非動作状態である場合である。
【００５０】
ステップＳ１０３で、制御装置８は、オイル温度ＴＯの検出値を読み込む。
次いで、制御装置８は、ステップＳ１０４においてオイル温度ＴＯ（℃）に応じて電動オイルポンプ７の目標回転数rpm（目標流量L/min）を算出する。
制御装置８は、前後進切替機構４１の非駆動状態でのオイル温度ＴＯと目標回転数rpm（目標流量L/min）との相関を規定する変換テーブルや関数などを備え、係る相関に基づいてオイル温度ＴＯの検出値から目標回転数rpm（目標流量L/min）を算出する。
【００５１】
制御装置８は、前後進切替機構４１が駆動状態である場合と同様に、非駆動状態においてオイル温度ＴＯが高いほどより高い目標回転数rpm（より大きな目標流量L/min）を設定する。
これにより、オイル温度が高い場合にオイル流量が多くなってオイルの循環による冷却性能が高まり、オイル温度ＴＯの上昇が抑制される。
【００５２】
ここで、前後進切替機構４１の非駆動状態では、前進クラッチ４１ｃの締結トルクが発生せず、かつ、前後進切替機構４１の入力トルクも小さいことから、前進クラッチ４１ｃでの発熱量は駆動状態である場合に比べて小さくなる。
そこで、制御装置８は、非駆動状態での目標回転数rpm（目標流量L/min）を、同じオイル温度ＴＯにおいて駆動状態よりも低い値に設定する。
【００５３】
図７は、オイル温度ＴＯと目標回転数rpm（目標流量L/min）との相関を、前後進切替機構４１の駆動状態と非駆動状態とでそれぞれに示す図である。
制御装置８は、前後進切替機構４１の駆動状態と非駆動状態との双方でオイル温度ＴＯが高くなるほど目標回転数rpm（目標流量L/min）をより高く設定するが、同じオイル温度ＴＯでは、駆動状態に適用する目標回転数rpm（目標流量L/min）を非駆動状態に適用する目標回転数rpm（目標流量L/min）よりも高く設定する。
【００５４】
尚、目標回転数rpm（目標流量L/min）は、少なくとも潤滑、冷却に必要な流量が確保できればよく、図７に示すような特性に限定されるものではなく、また、制御装置８は、オイル温度ＴＯに応じた目標回転数rpm（目標流量L/min）の変更処理を省略し、予め設定した一定の目標回転数rpm（目標流量L/min）に基づき電動オイルポンプ７を駆動することができる。
【００５５】
図２のフローチャートのステップＳ１０５で、制御装置８は、車速ＶＳＰが所定値（１）以上であるか否かを検出する。
ステップＳ１０５における所定値（１）は、車両が他車に牽引されて走行している状態（被牽引状態、当該車両が牽引される側）であるか否かを判断するための値であり、前後進切替機構４１の非駆動状態において車速ＶＳＰが所定値（１）以上である場合には、車両が被牽引走行状態である可能性があると推定できるようにしてある。
【００５６】
ここで、ニュートラル状態で車両が停止している場合、制御装置８は、車速ＶＳＰが所定値（１）未満であると検出して、ステップＳ１１０へ進み、電動オイルポンプ７を停止する。
車両がニュートラルレンジで停止しているか又は停止直前の低速状態である場合は、機械式オイルポンプ５が停止していたとしても前進クラッチ４１ｃの温度上昇やオイル切れを抑制できるので、制御装置８は、電動オイルポンプ７を停止させて無用な電力消費を抑制する。
【００５７】
また、エンジン１の運転状態で前後進切替機構４１の非駆動状態になっている場合には、エンジン１で機械式オイルポンプ５が駆動され、機械式オイルポンプ５から前後進切替機構４１に潤滑用、冷却用のオイルが供給されるので、電動オイルポンプ７の駆動は不要となる。
一方、エンジン１の停止状態で前後進切替機構４１の非駆動状態になっている場合、機械式オイルポンプ５が停止して機械式オイルポンプ５から前後進切替機構４１へのオイルの供給が行われなくなる。
【００５８】
しかし、車両が停止しているか若しくは低速走行状態であれば、前後進切替機構４１が車軸２０側から回転駆動されたとしても前進クラッチ４１ｃの入力トルク及びスリップ回転数は小さく発熱量は少ないから、電動オイルポンプ７を駆動させなくても前後進切替機構４１の過熱や潤滑オイル切れを十分に抑制できる。
従って、制御装置８は、ステップＳ１０５で車速ＶＳＰが所定値（１）未満であることを検出すると、ステップＳ１１０へ進み、電動オイルポンプ７を停止させる。
【００５９】
一方、車速ＶＳＰが所定値（１）以上である場合、制御装置８は、エンジン１及びモータジェネレータ３の運転を停止させた状態（つまり、機械式オイルポンプ５の停止状態）で車両が牽引されている可能性があり、かつ、車速が高いことで前後進切替機構４１での発熱が高くなっていると推定できる。
即ち、エンジン１やモータジェネレータ３による駆動力が車軸２０に伝達されない状態での走行は、惰性走行や牽引されての走行がある。そして、駆動力が車軸２０に伝達されない状態での走行でも、前後進切替機構４１が車軸２０側から駆動されることによって発熱し、発熱量は車速が高くなって前後進切替機構４１の回転（前進クラッチ４１ｃの出力軸回転）が高くなるほど多くなる。
【００６０】
そこで、制御装置８は、ステップＳ１０５で車速ＶＳＰが所定値（１）以上であることを検出すると、ステップＳ１０６へ進み、ステップＳ１０４で設定した目標回転数rpm（目標流量L/min）に基づき電動オイルポンプ７を駆動し、電動オイルポンプ７から吐出されたオイルを前後進切替機構４１に潤滑、冷却用として供給する。
また、ステップＳ１０６で、制御装置８は、電動オイルポンプ７が駆動されたことを検出するためのフラグ（電動オイルポンプ駆動経験フラグ）を立ち上げる。
【００６１】
車両の牽引は、一般的にエンジン１（及びモータジェネレータ３）の運転を停止させて行われ、このとき機械式オイルポンプ５が停止することになる。しかし、車軸２０側から前後進切替機構４１に回転駆動トルクが伝わることで、前後進切替機構４１で発熱が生じる。
係る被牽引状態で、図５（Ｂ）に示すように、電動オイルポンプ７から前後進切替機構４１に潤滑、冷却用オイルを供給することで、被牽引状態で前後進切替機構４１が過熱し、潤滑オイル切れとなることを抑制できる。
【００６２】
また、制御装置８は、電動オイルポンプ７の目標回転数rpm（目標流量L/min）をオイル温度ＴＯに応じて設定するので、発熱量が低い状態で電動オイルポンプ７から過剰なオイルを吐出させてしまうこと、換言すれば、エンジン１が停止していてバッテリ２２への充電が行われない状態での無駄な電力消費を抑制できる。
尚、制御装置８は、電動オイルポンプ７の目標回転数rpm（目標流量L/min）をオイル温度ＴＯ及び車速ＶＳＰに応じて設定することができ、車速ＶＳＰが同じでもオイル温度ＴＯが高いほど目標回転数rpm（目標流量L/min）を高く、オイル温度ＴＯが同じでも車速ＶＳＰが高いほど目標回転数rpm（目標流量L/min）を高く設定することができる。
【００６３】
また、制御装置８は、オイル温度ＴＯの情報を用いずに、電動オイルポンプ７の目標回転数rpm（目標流量L/min）を車速ＶＳＰに基づいて設定することができ、この場合、車速ＶＳＰが高いほど目標回転数rpm（目標流量L/min）を高く設定することができる。
前後進切替機構４１が車軸２０側から回転駆動される牽引状態では、前進クラッチ４１ｃの入出力間での回転速度差は車速が高くなるほど大きくなり、回転速度差が大きくなるほど発熱量が多くなるので、制御装置８は、車速ＶＳＰが高いほど目標回転数rpm（目標流量L/min）を高く設定する。
【００６４】
また、前後進切替機構４１が非駆動状態であってかつ車速ＶＳＰが所定値（１）以上である状態としては、前述のように惰性走行が含まれる。
しかし、エンジン１の運転状態での惰性走行では、機械式オイルポンプ５は駆動状態となってオイルを前後進切替機構４１に供給するので、オイル温度ＴＯが低く抑制される。
【００６５】
従って、制御装置８は、惰性走行状態でオイル温度ＴＯに応じて目標回転数rpm（目標流量L/min）を設定する場合に、目標回転数rpmを低く設定するか、又は、電動オイルポンプ７の停止指令を設定する。
ステップＳ１０７で、制御装置８は、前後進切替機構４１が非駆動状態から駆動状態に切り替えられたか否か、換言すれば、ニュートラルレンジからドライブレンジに切り替えられたか否かを検出する。
【００６６】
ここで、前後進切替機構４１が非駆動状態から駆動状態に切り替えられた場合には、被牽引状態ではなく、機械式オイルポンプ５がエンジン１で駆動されている状態であることを示す。
そこで、制御装置８は、ステップＳ１１４へ進んで、前進クラッチ４１ｃの締結過程に伴う発熱に対処するために電動オイルポンプ７からオイル供給を行わせる制御を実施する。
【００６７】
一方、前後進切替機構４１の非駆動状態（ニュートラルレンジ）が継続している場合、制御装置８は、ステップＳ１０８へ進み、電動オイルポンプ７の動作時間（継続駆動時間）が所定値（１）以上になっているか否かを検出する。
ステップＳ１０８における所定値（１）は、電動オイルポンプ７の継続動作を許容できる最大時間であり、動作時間に対するバッテリ２２（電源）の消耗（放電）や、動作時間に対する電動オイルポンプ７（モータ７ａ）やインバータ９の温度上昇などに基づく値である。
【００６８】
電動オイルポンプ７の動作時間が所定値（１）以上になると、制御装置８は、ステップＳ１１０へ進んで電動オイルポンプ７を停止させ、バッテリ２２の消耗やインバータ９などの温度上昇を抑制する。
一方、制御装置８は、ステップＳ１０８で、電動オイルポンプ７の動作時間が所定値（１）未満であることを検出すると、ステップＳ１０９へ進み、車速ＶＳＰが所定値（２）を下回っているか否かを検出する。
【００６９】
尚、ステップＳ１０９における所定値（２）はステップＳ１０５における所定値（１）よりも低い値であり、係る所定値（１）、（２）の設定によって、車速に基づく電動オイルポンプ７の動作、停止制御のハンチングを抑制する。
電動オイルポンプ７を駆動させている状態で車速ＶＳＰが所定値（２）を下回るようになった場合、即ち、被牽引状態での交差点における一時停止や目的地までの移送が終了し駐車された場合などでは、前後進切替機構４１での発熱量が小さくなり、機械式オイルポンプ５の停止状態であっても電動オイルポンプ７からのオイル供給が不要になる。
【００７０】
そこで、制御装置８は、電動オイルポンプ７を駆動させている状態で車速ＶＳＰが所定値（２）を下回ると、ステップＳ１１０へ進んで電動オイルポンプ７を停止させる。
これに対し、車速ＶＳＰが所定値（２）以上である状態を維持している場合、前後進切替機構４１が車軸２０側から回転駆動されることで発熱して電動オイルポンプ７からのオイル供給が必要となるので、制御装置８は、ステップＳ１０６へ戻って電動オイルポンプ７の駆動を継続させる。
【００７１】
制御装置８は、ステップＳ１１０へ進んで電動オイルポンプ７を停止させた場合、次いでステップＳ１１１へ進み、電動オイルポンプ駆動経験フラグが立っているか否かを検出する。
そして、制御装置８は、電動オイルポンプ駆動経験フラグが立っている場合、即ち、前後進切替機構４１の非駆動状態で電動オイルポンプ７を駆動させていたものの、ステップＳ１０８やステップＳ１０９での処理で電動オイルポンプ７を停止させた経緯がある場合には、ステップＳ１１２へ進む。
【００７２】
ステップＳ１１２で、制御装置８は、電動オイルポンプ７を継続的に停止させていた時間（停止時間）が所定値（２）以上になっているか否かを検出する。
ここで、制御装置８は、電動オイルポンプ７の停止時間が所定値（２）未満であることを検出すると、ステップＳ１１０に戻り、電動オイルポンプ７の停止状態を継続させる。
【００７３】
一方、制御装置８は、電動オイルポンプ７の停止時間が所定値（２）以上になっていることを検出すると、ステップＳ１１３へ進み、電動オイルポンプ駆動経験フラグを落とす処理（フラグのリセット処理）を実施する。
制御装置８は、ステップＳ１１３でフラグのリセット処理を実施すると、ステップＳ１０１に戻り、車両の被牽引状態が継続していることを検出すると、電動オイルポンプ７を再度駆動させる。
【００７４】
従って、制御装置８は、車両の被牽引状態が継続する場合に電動オイルポンプ７を断続的に駆動させ、これにより、バッテリ２２の消耗を抑制しつつ前後進切替機構４１及び電動オイルポンプ７などの温度上昇を抑制する。
尚、被牽引状態で電動オイルポンプ７を駆動させることによるバッテリ２２の消耗を抑制するために、制御装置８は、牽引の駆動力（運動エネルギー）を電力（電気エネルギー）に変換する回生制御を実施し、回生電力をバッテリ２２に充電させることができる。
【００７５】
また、制御装置８は、被牽引状態でエンジン１を自動的に始動させて、図示を省略したオルタネータ（発電機）をエンジン１で駆動させ、オルタネータが発電した電力をバッテリ２２に充電させることができる。
更に、制御装置８は、回生制御やエンジン１の自動始動制御を、被牽引状態での電動オイルポンプ７の駆動によってバッテリ２２が所定以上に消耗したことを検出したときに実施することができる。
【００７６】
ここで、制御装置８は、バッテリ２２の消耗を電動オイルポンプ７の動作時間に基づいて検出することができる他、バッテリ２２の電圧、電動オイルポンプ７の消費電力などからバッテリ２２の消耗を検出することができる。
また、電動オイルポンプ７の消費電力は、オイル温度が低くオイルの粘度が高くなるほど大きくなるので、制御装置８は、テップＳ１０８における動作時間の所定値（１）を、オイル温度が低いほど短い時間に変更することができる。
これにより、バッテリ２２の消耗を抑制しつつ電動オイルポンプ７の駆動時間を可及的に長くすることができ、電動オイルポンプ７によるオイル供給により前後進切替機構４１の潤滑や冷却を十分に行わせることができる。
【００７７】
図６（Ｂ）は、前後進切替機構４１の非駆動状態（車両の被牽引状態）における、車速などの運転状態と電動オイルポンプ７の作動状態との相関を示す。
図６（Ｂ）において、牽引によって車速ＶＳＰが上がった時刻ｔ８から、換言すれば、前進クラッチ４１ｃの入出力間での回転速度差が生じたときから、制御装置８は、電動オイルポンプ７の駆動を開始する。
【００７８】
制御装置８は、時刻ｔ８で電動オイルポンプ７の駆動を開始すると、車両が停止する時刻ｔ９までの間において電動オイルポンプ７の駆動を継続し、時刻ｔ８から時刻ｔ９までの間では、車速の増大（減少）による発熱量の増大（減少）に伴うオイル温度の上昇（低下）に応じて電動オイルポンプ７の回転数を増大（減少）させる回転数制御を実施する。
ここで、制御装置８は、電動オイルポンプ７を一定の回転数で駆動することができるが、車速やオイル温度に応じてポンプ回転数を変更することで、前後進切替機構４１の温度上昇を抑制しつつ、電動オイルポンプ７の電力消費を可及的に少なくできる。
【００７９】
即ち、図６（Ｂ）において、時刻ｔ１０から時刻ｔ１１においても制御装置８は電動オイルポンプ７を駆動するが、時刻ｔ８から時刻ｔ９までの間での走行に比べて時刻ｔ１０から時刻ｔ１１までの間は車速が低いことから、制御装置８は、電動オイルポンプ７の回転数を低く抑制して電力消費を抑える。
【００８０】
ところで、図２のフローチャートに示した電動オイルポンプ７の駆動制御の一例では、制御装置８は、前後進切替機構４１の非駆動状態（被牽引状態）での電動オイルポンプ７のオン、オフを車速ＶＳＰに応じて切り替えるが、制御装置８は、前後進切替機構４１の発熱状態（温度状態）に応じて電動オイルポンプ７を動作させることができる。
図８のフローチャートは、前後進切替機構４１の非駆動状態において前後進切替機構４１の発熱状態（温度状態）に応じて電動オイルポンプ７を動作させる制御の一例を示し、図２のフローチャートに示したルーチンに代えて制御装置８にて実行される。
【００８１】
図８のフローチャートにおいて、制御装置８は、ステップＳ４０１において、ステップＳ１０１と同様に電動オイルポンプ７の作動準備が完了しているか否かを検出する。
そして、制御装置８は、電動オイルポンプ７の作動準備が完了している場合、ステップＳ４０２に進んでオイル温度ＴＯを読み込む。
【００８２】
次いで、制御装置８は、ステップＳ４０３で、ステップＳ１０４と同様にオイル温度ＴＯ（℃）に応じて電動オイルポンプ７の目標回転数rpm（目標流量L/min）を算出する。
次のステップＳ４０４で、制御装置８は、ステップＳ１０２と同様に前後進切替機構４１が非駆動状態であるか否かを検出する。
【００８３】
前後進切替機構４１が駆動状態である場合、制御装置８は、ステップＳ４０５へ進み、前記図３及び図４のフローチャートに従って電動オイルポンプ７の動作を制御する。
一方、前後進切替機構４１が非駆動状態であれば、制御装置８は、ステップＳ４０６へ進み、前後進切替機構４１が発熱状態（温度上昇状態）であるか否かを例えばオイル温度ＴＯに基づいて検出する。
【００８４】
ここで、制御装置８は、前後進切替機構４１の非駆動状態でのオイル温度ＴＯの初期値を記憶し、この初期温度よりもオイル温度ＴＯが所定値以上に高くなった場合に前後進切替機構４１が発熱状態（温度上昇状態）であることを検出することができる。
また、制御装置８は、前後進切替機構４１が発熱することでオイル温度ＴＯが上回る温度を閾値として設定し、オイル温度ＴＯが閾値を超えたときに前後進切替機構４１が発熱状態（温度上昇状態）であることを検出することができる。
【００８５】
ステップＳ４０６で、制御装置８は、オイル温度ＴＯに基づいて前後進切替機構４１の発熱状態を検出できる他、前進クラッチ４１ｃの温度、前後進切替機構４１に含まれる軸受の温度、モータジェネレータ３のコイル温度などの前後進切替機構４１の温度を代表する温度又は前後進切替機構４１の温度に相関する温度を検出し、係る温度検出値の上昇に基づいて前後進切替機構４１の発熱状態を検出することができる。
制御装置８は、ステップＳ４０６で前後進切替機構４１が発熱状態であることを検出すると、ステップＳ４０７へ進み、ステップＳ４０３で設定した目標回転数rpm（目標流量L/min）に基づき電動オイルポンプ７を駆動する。
【００８６】
次いで、制御装置８は、ステップＳ４０８において前後進切替機構４１が駆動状態（駆動レンジ）に切り替わったか否かを検出し、前後進切替機構４１が非駆動状態から駆動状態に切り替わった場合にはステップＳ４０５へ進む。
一方、前後進切替機構４１が継続して非駆動状態であれば、制御装置８は、ステップＳ４０９へ進み、ステップＳ１０８と同様に電動オイルポンプ７の動作時間が所定値（１）以上になっているか否かを検出する。
【００８７】
そして、制御装置８は、電動オイルポンプ７の動作時間が所定値（１）未満である場合は、ステップＳ４０７に戻ることで電動オイルポンプ７の駆動を継続する。
一方、動作時間が所定値（１）以上になると、制御装置８は、ステップＳ４１０へ進んで電動オイルポンプ７を停止させ、バッテリ２２の消耗及び電動オイルポンプ７の温度上昇を抑制する。
【００８８】
制御装置８は、ステップＳ４１０へ進んで電動オイルポンプ７を停止させると、次いでステップＳ４１１へ進み、電動オイルポンプ駆動経験フラグが立っているか否かを検出する。
そして、電動オイルポンプ駆動経験フラグが立っていて、前後進切替機構４１の非駆動状態で電動オイルポンプ７を駆動させていた場合、制御装置８は、ステップＳ４１２へ進む。
【００８９】
ステップＳ４１２で、制御装置８は、電動オイルポンプ７の停止時間が所定値（２）以上になっているか否かを検出する。
そして、制御装置８は、電動オイルポンプ７の停止時間が所定値（２）未満であればステップＳ４１０に戻って電動オイルポンプ７の停止状態を継続させ、停止時間が所定値（２）以上になればステップＳ４１３へ進んで電動オイルポンプ駆動経験フラグを落とすリセット処理を実施する。
【００９０】
制御装置８は、電動オイルポンプ駆動経験フラグを落とすリセット処理を実施した後にステップＳ４０１に戻ったときに被牽引状態が継続していれば、電動オイルポンプ７を再度駆動させる。
これにより、電動オイルポンプ７は車両の被牽引状態が継続するときに断続的に作動することになり、バッテリ２２の消耗を抑制しつつ前後進切替機構４１及び電動オイルポンプ７の温度上昇を抑制することができる。
【００９１】
ところで、制御装置８は、前述のように電動オイルポンプ７のモータ７ａをＰＷＭ制御するが、係るＰＷＭ制御におけるＰＷＭ周波数（駆動周波数、制御周波数）を車両状態に応じて変更する機能を有している。
電動オイルポンプ７のＰＷＭ制御におけるＰＷＭ周波数を高くすれば駆動騒音を低減できるものの、ＰＷＭ周波数が高いとインバータ９（駆動回路）の発熱量が大きくなるため、電動オイルポンプ７の駆動時間が長引くとインバータ９における耐熱限界を超えてしまう可能性がある。
【００９２】
そこで、制御装置８は、ＰＷＭ周波数を車両状態に応じて変更することで、電動オイルポンプ７の駆動騒音の増大による商品性の低下を抑制しつつインバータ９の発熱量を許容内に抑えることで発熱によるインバータ９の損傷を抑制する。
【００９３】
次に、制御装置８によるＰＷＭ周波数の可変制御の一例を、図９のフローチャートに従って説明する。
図９のフローチャートに示すルーチンは、車両のエンジンスイッチがオンされて制御装置８に電源が投入されている状態において、制御装置８によって実行される。
【００９４】
制御装置８は、まず、ステップＳ５０１において、電動オイルポンプ７を駆動する条件が成立しているか否か、つまり、電動オイルポンプ７のモータ７ａについてＰＷＭ制御を実施する状態であるか否かを検出する。
ここで、電動オイルポンプ７を駆動する条件でない場合はＰＷＭ周波数の設定は不要であるので、制御装置８は、図９のフローチャートに示すルーチンをそのまま終了させる。
【００９５】
一方、電動オイルポンプ７を駆動する条件である場合、制御装置８は、ステップＳ５０２へ進み、車両の被牽引状態であるか否かを前後進切替機構４１の非駆動状態であるか否か及び車速に基づいて検出する。即ち、制御装置８は、前後進切替機構４１の非駆動状態（Ｎレンジ選択状態）であってかつ車速が設定速度よりも高い場合に車両が被牽引状態であることを検出する。
車両の被牽引状態である場合、制御装置８は、ステップＳ５０８へ進み、電動オイルポンプ７のＰＷＭ制御におけるＰＷＭ周波数ｆとして、標準ＰＷＭ周波数ｆSよりも低い低ＰＷＭ周波数ｆLを選定する。
【００９６】
制御装置８は、ＰＷＭ周波数ｆとして、発熱量の抑制よりも駆動騒音の低減を優先する標準ＰＷＭ周波数ｆSと、駆動騒音の低減よりも発熱量の抑制を優先する低ＰＷＭ周波数ｆLとを制御定数としてメモリに記憶していて、ステップＳ５０８では、駆動騒音の低減よりも発熱量の抑制を優先する低ＰＷＭ周波数ｆLに従って電動オイルポンプ７をＰＷＭ制御する設定を行う。
【００９７】
車両の被牽引状態では車両に人が乗っていないため騒音の増大によって不快感を与えることがなく、騒音の増大が車両の商品性を低下させることにはならない。
一方、車両の被牽引状態ではエンジン１及びモータジェネレータ３が作動停止状態に保持されるために機械式オイルポンプ５が作動せず、前後進切替機構４１の潤滑，冷却は電動オイルポンプ７からのオイル供給に依存し、電動オイルポンプ７が作動する時間割合が通常走行状態に比べて多くなり、以って、インバータ９における発熱量が多くなる。
【００９８】
そこで、制御装置８は、車両の被牽引状態である場合（前後進切替機構４１の非駆動状態）には、エンジン１やモータジェネレータ３を動力源として走行する場合（自走状態、前後進切替機構４１の駆動状態）に比べて、電動オイルポンプ７のＰＷＭ制御におけるＰＷＭ周波数ｆを低くする。
係るＰＷＭ周波数ｆの低下処理により、車両の被牽引状態におけるインバータ９での発熱量及び消費電力を抑制し、インバータ９の熱による損傷及び被牽引状態でのバッテリ消耗を抑制することができる。
【００９９】
また、ＰＷＭ制御におけるＰＷＭ周波数ｆを低くすることで被牽引状態でのインバータ９における発熱量を抑制するから、標準ＰＷＭ周波数ｆSでのＰＷＭ制御に適合する放熱性能を備える必要がなく、インバータ９の大型化及びコストアップを抑制できる。
つまり、機械式オイルポンプ５が作動する自走状態では、電動オイルポンプ７が補助的に用いられ、機械式オイルポンプ５による吐出量の不足分を電動オイルポンプ７からの吐出で補うことになるため、電動オイルポンプ７から大流量のオイルを長時間に亘って吐出させることは殆どない。
【０１００】
これに対し、被牽引状態では、機械式オイルポンプ５が停止するため、電動オイルポンプ７が大流量のオイルを長時間に亘って吐出する必要が生じる場合がある。係る長時間駆動において、標準ＰＷＭ周波数ｆSでＰＷＭ制御を行ってもインバータ９の温度が過剰に上昇しないようにするためには、より低い低ＰＷＭ周波数ｆLでＰＷＭ制御する場合よりも発熱量が多くなるから、より高い放熱性能を備える必要が生じる。そして、より高い放熱性能を実現するためには、インバータ９が大型化し、また、インバータ９のコストアップを招くことになる。
一方、低ＰＷＭ周波数ｆLでＰＷＭ制御すれば、インバータ９の発熱量を標準ＰＷＭ周波数ｆSでＰＷＭ制御する場合よりも低くできるから、放熱性能を下げてもインバータ９の温度上昇を十分に抑えることができ、放熱設備のための大型化、コストアップを抑制できる。
【０１０１】
尚、車両の被牽引状態では、バッテリ２２の消耗（放電）をなるべく抑制することが望まれるので、車両の被牽引状態でステップＳ５０８へ進んだ場合、制御装置８は、バッテリ２２の電圧が低いほど（バッテリ２２が放電しているほど）ＰＷＭ周波数ｆをより低くすることができる。
また、車両の被牽引状態で電動オイルポンプ７を駆動する場合、電源であるバッテリ２２の放電（消耗）が過剰に進むことを抑制するために、バッテリ電圧ＶＢが下限電圧を上回っていることを条件として電動オイルポンプ７を駆動するが、バッテリ電圧ＶＢの低下に基づき電動オイルポンプ７の駆動を停止すると、前後進切替機構４１を十分に潤滑、冷却させることができなくなる。
【０１０２】
そこで、制御装置８は、車両の被牽引状態においてバッテリ２２の電圧条件などから電動オイルポンプ７の駆動を途中で停止する場合には、牽引する側の車両の運転者などに向けて、電動オイルポンプ７によるオイル循環が停止し前後進切替機構４１の潤滑、冷却が十分に行えなくなることを警告する処理を実施することができる。
制御装置８は、前述の警告処理として、車両に備えられたクラクション（警笛）を自動で鳴らす処理、ヘッドライトなどのライト類を自動で点灯（点滅）させる処理、ワイパーを自動で動作させる処理、予め記憶したメールアドレス（牽引する側の車両の運転者のメールアドレスなど）にメールを送信する処理などのうちの複数或いは１つを実施することができる。
【０１０３】
制御装置８は、図９のフローチャートのステップＳ５０２で車両が被牽引状態でないことを検出すると、ステップＳ５０３へ進み、車両が設定速度を上回る高車速で走行しているか否かを検出する。
車両の高速走行状態では、低速走行状態である場合に比べて車両における騒音レベルが全体的に増大して電動オイルポンプ７の駆動騒音の許容値が上がる一方、電動オイルポンプ７における目標の吐出流量が増してインバータ９の発熱量が多くなる。
【０１０４】
そこで、制御装置８は、車両の高速走行状態ではステップＳ５０８へ進み、電動オイルポンプ７のＰＷＭ制御におけるＰＷＭ周波数ｆとして、標準ＰＷＭ周波数ｆSよりも低い低ＰＷＭ周波数ｆLを選定する。つまり、制御装置８は、車両の走行速度が高くなるとＰＷＭ周波数ｆをより低くする。
これにより、電動オイルポンプ７の駆動騒音が車両の商品性を低下させてしまうことを抑制しつつ、インバータ９の発熱量を抑制して熱によるインバータ９の損傷を抑制でき、また、インバータ９における電力ロスを低減することができる。
【０１０５】
また、制御装置８は、ステップＳ５０３で車両の高速走行状態でないことを検出すると、ステップＳ５０４へ進み、車両の動力源であるエンジン１（又はモータジェネレータ３）の回転速度が設定速度を上回る高回転状態であるか否かを検出する。
エンジン１（又はモータジェネレータ３）の回転速度が設定速度を上回る高回転状態では、車両の高速走行状態と同様に、車両における騒音レベルが全体的に増大して電動オイルポンプ７の駆動騒音の許容値が上がる一方、電動オイルポンプ７における目標の吐出流量が増してインバータ９の発熱量が多くなる。
【０１０６】
そこで、制御装置８は、エンジン１（又はモータジェネレータ３）の高回転状態ではステップＳ５０８へ進み、電動オイルポンプ７のＰＷＭ制御におけるＰＷＭ周波数ｆとして、標準ＰＷＭ周波数ｆSよりも低い低ＰＷＭ周波数ｆLを選定する。つまり、制御装置８は、エンジン１（又はモータジェネレータ３）の回転速度が高くなるとＰＷＭ周波数ｆをより低くする。
これにより、電動オイルポンプ７の駆動騒音が車両の商品性を低下させてしまうことを抑制しつつ、インバータ９の発熱量を抑制して熱によるインバータ９の損傷を抑制することができ、また、インバータ９における電力ロスを低減することができる。
【０１０７】
また、制御装置８は、ステップＳ５０４でエンジン１（又はモータジェネレータ３）の高回転状態でないことを検出すると、ステップＳ５０５へ進み、電動オイルポンプ７の目標回転数rpm（又は目標流量L/min）が設定回転数（又は設定流量）を上回る高吐出量状態であるか否かを検出する。
電動オイルポンプ７が高吐出量状態となるのはオイル温度が高いときであって、オイル温度は高負荷で車両が駆動されている場合に上昇するから、電動オイルポンプ７が高吐出量状態である場合には、一般的に電動オイルポンプ７の駆動騒音の許容値が上がる状況であり、しかも、高吐出量とするためにインバータ９の発熱量が多くなる。
【０１０８】
そこで、制御装置８は、電動オイルポンプ７の高吐出量状態ではステップＳ５０８へ進み、電動オイルポンプ７のＰＷＭ制御におけるＰＷＭ周波数ｆとして、標準ＰＷＭ周波数ｆSよりも低い低ＰＷＭ周波数ｆLを選定する。つまり、制御装置８は、電動オイルポンプ７の吐出流量（回転速度）が高くなるとＰＷＭ周波数ｆをより低くする。
これにより、電動オイルポンプ７の駆動騒音が車両の商品性を低下させてしまうことを抑制しつつ、インバータ９の発熱量を抑制して熱によるインバータ９の損傷を抑制することができ、また、インバータ９における電力ロスを低減することができる。
【０１０９】
更に、制御装置８は、ステップＳ５０５で電動オイルポンプ７の高吐出量状態でないことを検出すると、ステップＳ５０６へ進み、車両の車室内の騒音レベルが設定値を上回る高騒音状態であるか否かを検出する。
制御装置８は、高騒音状態であるか否かの検出を、車室内の音を電気信号に変換するマイクロフォンを用いて検出することができる他、車速、エンジン回転速度、車両の窓の開閉状態、エアコンディショナーの風量設定、オーディオ機器の音量設定などから推定することができる。
【０１１０】
車室内の騒音が高くなるに従って、電動オイルポンプ７の駆動騒音の許容値が上がることになってＰＷＭ周波数ｆをより低くすることができ、ＰＷＭ周波数ｆをより低くすることで、インバータ９における発熱量及び消費電力（電力ロス）を抑制できる。
そこで、制御装置８は、高騒音状態ではステップＳ５０８へ進み、電動オイルポンプ７のＰＷＭ制御におけるＰＷＭ周波数ｆとして、標準ＰＷＭ周波数ｆSよりも低い低ＰＷＭ周波数ｆLを選定する。つまり、制御装置８は、車室内の騒音が高くなるとＰＷＭ周波数ｆをより低くする。
【０１１１】
これにより、電動オイルポンプ７の駆動騒音が車両の商品性を低下させてしまうことを抑制しつつ、インバータ９の発熱量を抑制して熱によるインバータ９の損傷を抑制することができ、また、インバータ９における電力ロスを低減することができる。
一方、制御装置８は、ステップＳ５０６にて高騒音状態でないことを検出した場合、つまり、車両が被牽引状態ではない（自走状態である）場合があって、高車速，高エンジン回転速度，高吐出流量でなく、しかも、車室内の騒音レベルが低い場合には、ステップＳ５０７に進んで、電動オイルポンプ７のＰＷＭ制御におけるＰＷＭ周波数ｆとして標準ＰＷＭ周波数ｆSを選定する。
標準ＰＷＭ周波数ｆSは、他の騒音発生源が発する音が低い条件であっても、電動オイルポンプ７の駆動騒音を十分に低いレベルを抑えることができるＰＷＭ周波数ｆであり、電動オイルポンプ７の駆動騒音が耳障りとなって車両の商品性を低下させることを抑制できる。
【０１１２】
上記実施形態で説明した各技術的思想は、矛盾が生じない限りにおいて適宜組み合わせて使用することができる。
また、好ましい実施形態を参照して本発明の内容を具体的に説明したが、本発明の基本的技術思想及び教示に基づいて、当業者であれば種々の変形態様を採り得ることは自明である。
【０１１３】
ＰＷＭ周波数ｆの変更を実施する車両状態を、ステップＳ５０２〜ステップＳ５０６で判断した運転状態に限定するものではなく、制御装置８は、ステップＳ５０２〜ステップＳ５０６の運転状態のうちのいずれか１つ又は一部に応じてＰＷＭ周波数ｆを変更することができる。
また、制御装置８は、ステップＳ５０２〜ステップＳ５０６の条件のうちの複数が成立する場合に、ＰＷＭ周波数ｆとして低ＰＷＭ周波数ｆLを選択することができる。例えば、制御装置８は、車両の被牽引状態（Ｓ５０２）であって、かつ、高車速又は電動オイルポンプ７の目標回転数rpmが高い場合に、ＰＷＭ周波数ｆを低ＰＷＭ周波数ｆLとすることができる。
【０１１４】
また、制御装置８は、ＰＷＭ周波数ｆを変更する条件として、路面の凸凹、降雨状態、風速、トンネル走行状態などの車両の走行環境を、ＰＷＭ周波数ｆを変更するための車両状態に含めることができる。
つまり、制御装置８は、路面の凸凹が大きい場合、降雨状態、風速が速い場合、トンネル内を走行している場合には車室内の騒音レベルが上がるので、ＰＷＭ周波数ｆを低くすることができる。ここで、制御装置８は、路面の凸凹を例えば車両のサスペンションのストローク量（車高）の変化に基づき検出することができ、降雨状態を例えば車両のワイパーの作動状態に基づいて検出することができ、また、トンネル走行を例えばＧＰＳなどによる車両の位置情報に基づいて検出することができる。
【０１１５】
また、制御装置８は、車速や目標回転数rpm（又は目標流量L/min）の増大に応じてＰＷＭ周波数ｆを徐々に（複数段階に）低下させることができる。
また、制御装置８は、インバータ９の温度を検出し、インバータ９の温度が設定温度よりも高くなった場合には、電動オイルポンプ７の駆動騒音を乗員が感じ易い条件であっても温度低下を優先させてＰＷＭ周波数ｆを低下させることができる。
また、車両が複数の走行モードのうちの１つとして燃費を優先するエコモードを備える場合に、制御装置８は、車両の運転者が前記エコモードを選択している場合に、ＰＷＭ周波数ｆを低下させることができる。
【０１１６】
ここで、上記実施形態から把握し得る請求項以外の技術的思想について、以下に効果と共に記載する。
（イ）
動力を車軸に伝達する動力伝達装置にオイルを供給する電動オイルポンプを制御する制御装置であって、
車室内の騒音が大きくなるに応じて前記電動オイルポンプの駆動周波数を低くする、車両用電動オイルポンプの制御装置。
上記発明によると、車室の騒音が大きく電動オイルポンプの騒音が目立たなくなるときに電動オイルポンプの駆動周波数を低くすれば、電動オイルポンプの騒音によって車両の商品性が損なわれることを抑制しながら、電動オイルポンプの駆動回路の発熱及び電力消費を抑制することができる。
【０１１７】
（ロ）
動力を車軸に伝達する動力伝達装置にオイルを供給する電動オイルポンプを制御する制御装置であって、
前記車両の被牽引状態で前記電動オイルポンプを駆動する場合には、前記車両の自走状態で前記電動オイルポンプを駆動する場合に比べて前記電動オイルポンプの駆動周波数を低くする、車両用電動オイルポンプの制御装置。
上記発明によると、車両の被牽引状態では車室内に乗員が居ないため、電動オイルポンプの騒音が高くなることが許容されるので、電動オイルポンプの駆動周波数を低くし、騒音は高くなるものの駆動回路における発熱量及び電力消費を抑制する。
【０１１８】
（ハ）
動力を車軸に伝達する動力伝達装置にオイルを供給する電動オイルポンプを制御する制御装置であって、
前記電動オイルポンプのオイル吐出量の増大に応じて前記電動オイルポンプの駆動周波数を低くする、車両用電動オイルポンプの制御装置。
上記発明によると、電動オイルポンプのオイル吐出量が増大すると、電動オイルポンプの駆動周波数を低くすることで、駆動回路の発熱量及び電力消費を抑制する。
【０１１９】
（ニ）
動力を車軸に伝達する動力伝達装置にオイルを供給する電動オイルポンプを制御する制御装置であって、
車両の被牽引状態で前記電動オイルポンプを駆動する場合に、前記電動オイルポンプの電源電圧の低下に応じて前記電動オイルポンプの駆動周波数を低くする、車両用電動オイルポンプの制御装置。
上記発明によると、電源電圧の低下に応じて電動オイルポンプの駆動周波数を低くすることで電力消費を抑制し、被牽引状態でのバッテリ消耗を抑制する。
【０１２０】
（ホ）
被牽引状態において電源電圧の低下に応じて、外部に向けた警告のために車両搭載機器を動作させる、請求項（ニ）記載の車両用電動オイルポンプの制御装置。
上記発明によると、被牽引状態において電源電圧が低下してきて、電動オイルポンプの駆動を継続することが困難になると、外部に電源電圧の低下を警告すべく車両搭載機器を動作させ、例えば牽引する側の車両の乗員などに電源電圧の低下（電動オイルポンプの作動限界）を認識させる。
【０１２１】
（へ）
動力を車軸に伝達する動力伝達装置にオイルを供給する電動オイルポンプを制御する制御装置であって、
前記車両の被牽引状態で前記電動オイルポンプを駆動する場合には、前記車両の自走状態で前記電動オイルポンプを駆動する場合に比べて前記電動オイルポンプの駆動周波数を低くし、かつ、前記電動オイルポンプの電源電圧の低下に応じて前記駆動周波数を低くする、車両用電動オイルポンプの制御装置。
上記発明によると、車両の被牽引状態では車室内に乗員が居ないため、電動オイルポンプの騒音が高くなることが許容されるので、電動オイルポンプの駆動周波数を低くし、騒音は高くなるものの駆動回路における発熱量及び電力消費を抑制すると共に、電源電圧の低下に応じて電動オイルポンプの駆動周波数を低くすることで電力消費を抑制し、被牽引状態でのバッテリ消耗を抑制する。
【０１２２】
（ト）
動力を車軸に伝達する動力伝達装置にオイルを供給するオイルポンプとして、前記電動オイルポンプと共に、前記動力伝達装置と動力源との間の回転軸によって回転駆動される機械式オイルポンプを備える、請求項（イ）から（ヘ）のいずれか１つに記載の車両用電動オイルポンプの制御装置。
上記発明によると、機械式オイルポンプは、エンジンなどの動力源の作動が停止する被牽引状態では停止することになるが、電動オイルポンプを作動させることで被牽引状態での動力伝達装置の潤滑，冷却を行える。ここで、電動オイルポンプを作動させるときの駆動周波数を運転状態に応じて変更することで、騒音性能の低下を抑制しつつ駆動回路の発熱、電力消費を抑制する。
【符号の説明】
【０１２３】
１…エンジン、２…第１クラッチ、３…モータジェネレータ、４…動力伝達装置、５…機械式オイルポンプ、７…電動オイルポンプ、７ａ…モータ、８…制御装置、９…インバータ（駆動回路）、２０…車軸、２２…バッテリ（電源）、４１…前後進切替機構、４２…無段変速機構
【図１】
2015021512.tif 000003
【図２】
2015021512.tif 000004
【図３】
2015021512.tif 000005
【図４】
2015021512.tif 000006
【図５】
2015021512.tif 000007
【図６】
2015021512.tif 000008
【図７】
2015021512.tif 000009
【図８】
2015021512.tif 000010
【図９】
2015021512.tif 000011